(57)【要約】【課題】低消費電力化を可能としながら、被検対象ガスに対する高い検出感度を達成するガス検出素子を提供する。【解決手段】パラジウムが担持されたγ−アルミナ担体により発熱体が被覆されているガス検知素子において、前記γ−アルミナ担体におけるパラジウム担持量が２５重量％以上３５重量％以下であるガス検知素子。【選択図】なし【特許請求の範囲】
【請求項１】
パラジウムが担持されたγ−アルミナ担体により発熱体が被覆されているガス検知素子において、
前記γ−アルミナ担体におけるパラジウム担持量が２５重量％以上３５重量％以下であることを特徴とするガス検知素子。
【請求項２】
請求項１に記載のガス検知素子を有することを特徴とする接触燃焼式ガスセンサ。
【発明の詳細な説明】
【技術分野】
【０００１】
本発明は、接触燃焼式ガスセンサ、特に低消費電力型の接触燃焼式ガスセンサの検知素子、及び、そのような検知素子を有する接触燃焼式ガスセンサに関する。
【背景技術】
【０００２】
接触燃焼型ガスセンサの原理図を図１に示す。接触燃焼式ガスセンサは、被検対象ガスを燃焼させる酸化触媒が担持された多孔質担体により発熱体を被覆して構成されるガス検知素子Ｆ１（図２にガス検知素子Ｆ１をモデル的に示す）と、被検対象ガスが接触燃焼しないように処理された参照素子Ｆ２と、で構成され、電気抵抗Ｒ１及びＲ２とともにブリッジ回路を形成する。
【０００３】
このような接触燃焼センサによる被検対象ガスの検知原理は、図２にモデル的に示すように被検対象ガスが発熱体１により加熱されたガス検知素子の多孔質担体２の酸化触媒に接触し、燃焼するときの温度上昇によりガス検知素子の発熱体１の電気抵抗値が変化して、ガス検知素子Ｆ１及び参照素子（温度補償素子）Ｆ２の２つの素子の間に生じた電位差を取り出すことにより検知対象ガスを検知する。
【０００４】
ここで、従来の接触燃焼式ガスセンサ（特許文献１参照）では、ガス検知素子は数重量％〜十数重量％のパラジウムを酸化触媒として担持したγ−アルミナで発熱体を被覆し、参照素子はパラジウムを有しないγ一アルミナにより発熱体を被覆して、それぞれ構成されている。
【０００５】
近年、省エネなどの観点から、低消費電力型センサの要求が高まり、ガス検知素子の小型化（例えば、図３に示すような、基板３に設けられた空洞部４上の薄膜に発熱体１とそれを覆う多孔質担体２からなるガス検知素子が形成された接触燃焼式ガスセンサ（ダイアフラム型（薄膜型）接触燃焼式ガスセンサ）等）に伴い、被検対象ガスに対する検出感度が低いことが問題となっており、より高い感度が得られるセンサが求められている。
【先行技術文献】
【特許文献】
【０００６】
【特許文献１】特開平９−１４５６５６号公報
【発明の概要】
【発明が解決しようとする課題】
【０００７】
本発明は、上記した従来の問題点を改善する、小型化及び低消費電力化を可能としながら、被検対象ガスに対する高い検出感度を達成するガス検出素子、及び、高い検出感度を有する接触燃焼式ガスセンサを提供することを目的とする。
【課題を解決するための手段】
【０００８】
本発明のガス検出素子は、上記課題を解決するため、請求項１に記載の通り、パラジウムが担持されたγ−アルミナ担体により発熱体が被覆されているガス検知素子において、前記γ−アルミナ担体におけるパラジウム担持量が２５重量％以上３５重量％以下であることを特徴とするガス検知素子である。
【０００９】
また、本発明の接触燃焼式ガスセンサは、請求項１に記載のガス検知素子を有することを特徴とする接触燃焼式ガスセンサである。
【発明の効果】
【００１０】
本発明のガス検知素子によれば、特許文献１に記載の従来タイプのコイル型ガス検出素子を用いた接触燃焼式ガスセンサの消費電力が４００ｍＷ程度であるのに比べ、例えば１００ｍＷ以下（平均消費電力）と低消費電力化され、かつ、小型化が可能な接触燃焼式ガスセンサを実現するガス検出素子でありながら、γ−アルミナ担体におけるパラジウム担持量を２５重量％以上３５重量％以下の範囲とすることにより、被検対象ガスに対する高い検出感度を有する接触燃焼式ガスセンサを得ることができる。
【００１１】
さらに、本発明による効果として、以下のことも期待できる。すなわち、高感度であるためにエアーベース変動による誤報のマージンを増やすことができる。コイル式接触燃焼式ガスセンサにも活用することができるが、小型のセンサ、例えば、ダイアフラム型接触燃焼式ガスセンサに対しては特に効果的に被険対象ガスに対する感度を向上させることができる。
【図面の簡単な説明】
【００１２】
【図１】図１は、一般的な接触燃焼式ガスセンサの構成と接触燃焼式ガスセンサを用いた被検ガス検出回路とを示すモデル説明図である。
【図２】図２は、従来技術にかかるガス検知素子を示すモデル説明図である。
【図３】図３は、小型化と低消費電力化とが可能なダイヤフラム型接触燃焼式ガスセンサのガス検知素子の一例を示すモデル断面図である。
【図４】接触燃焼式ガスセンサにおいてガス検知素子の担体のパラジウム含有量を変化させたときのセンサ出力への影響を示すグラフである。
【図５】ガス検知素子の担体のパラジウム含有量を変化させたときの担体の比表面積への影響を示すグラフである。
【図６】従来例と実施例の接触燃焼式ガスセンサの、０〜５０００ｐｐｍのメタンガス濃度に対する出力を示したグラフである。
【発明を実施するための形態】
【００１３】
本発明のガス検知素子は、上述のように、パラジウムが担持されたγ−アルミナ担体により発熱体が被覆されているガス検知素子において、前記γ−アルミナ担体におけるパラジウム担持量が２５重量％以上３５重量％以下であるガス検知素子である。特に好ましい範囲は２８重量％以上３３重量％以下である。
【００１４】
ここで、パラジウム担持量が少なすぎると被検対象ガスを酸化させるサイトの存在量が不足し、その結果、十分な検出感度が得られない。また、パラジウム担持量が多すぎても、担体中でパラジウムの凝集が生じ、その結果、被検対象ガスを酸化させるサイトの存在量が不足し、やはり高い検出感度が得られない。
【００１５】
ガス検知素子において被覆に用いる担体としてはγ−アルミナを用いる。γ−アルミナを用いて作成した被覆担体は多孔質となり、担体に配合されるパラジウムと被検対象ガスとの接触サイトが多くなり、高い検出感度をもたらす。さらに、参照素子における被覆は、ガス検知素子における被覆とパラジウムを含有しない他は同様にして作成するが、γ−アルミナは多孔質であっても触媒活性を有しないので、被検対象ガスに対して触媒活性が付与されたガス検知素子と触媒活性のない参照素子との挙動の差が大きくなり、その結果、被検対象ガスに対する高い感度を接触燃焼式ガスセンサに付与することができる。
【００１６】
担体による被覆は、例えば次のようにして形成することができる。
【００１７】
γ−アルミナを、必要に応じて十分に粉砕し、得られたアルミナ粉末とアルミナゾルとを混合したペーストを作製する。
【００１８】
このように得たペーストを発熱体の上記のようなコイル様部分あるいはジグザク様部分にこれら部分を覆うように塗布する。その後、例えば８００℃の熱処理をおこなって、γ−アルミナ担体を発熱体にγ−アルミナ担体を固着させる。参照素子はこの状態のものを用い、ガス検知素子には、さらに、そのγ−アルミナ担体にパラジウムを担持させる。
【００１９】
このようにして得た、本発明のガス検知素子は、パラジウムの担持を行っていない、γ−アルミナ担体により発熱体が被覆されている参照素子とともに、図１に示すようなブリッジ回路に組み込まれて、例えば都市ガス、ＬＰガスなどの可燃ガスの空気中における、検出、及び、濃度測定に用いることができる。
【００２０】
ここで、図３に示した、ダイアフラム型の接触燃焼式ガスセンサについて、そのガス検知素子のγ−アルミナ担体のパラジウム担持量を１５〜５０重量％の範囲で変化させたものを作製した。
【００２１】
これらガスセンサについて、メタンガスを３０００ｐｐｍ含む空気に対する出力を調べた。結果を図４に示す。なお、従来のガス検知素子（「従来品」とも云う）の担体中のパラジウム担持量は１５重量％である。
【００２２】
図４より、パラジウム担持量を従来品より増加させることで、ガス感度を向上させることができ、ある一定以上に増加させると感度が低下することが判る。そして、パラジウムの担持量が２５重量％〜３５重量％近傍でメタンガスに対する感度が最大となることが判る。
【００２３】
ここで、感度の上昇は担体中のガスに対する反応点が増加することにより、担持量をある一定以上に増加させるとパラジウムの凝集が生じ、反応点が減少することによるものと考えられる。
【００２４】
また、図５には、参照素子（パラジウム担持なし）、及び、上記で作製したガス検知素子の担体の比表面積を調べた結果を示す。
【００２５】
図５より、パラジウム担持量が多くなるに従って比表面積が低下することから、担持量を限度を超えて多くしても、反応に寄与する触媒サイトの増加効果が得られないことが理解される。
【００２６】
図６には、従来技術に係るセンサ（従来例：ガス検知素子の担体中のパラジウム担持量が１５重量％）と本発明品（実施例：ガス検知素子の担体中のパラジウム担持量が３０重量％）との、異なる濃度でメタンガスを含有する空気に対する出力の関係を示す。図６より、本発明に係るセンサは、従来例に比べてメタンガス感度が大きく、優れた直線性が得られることが判る。このように、本発明に係るセンサでは高いガス感度を得ることができる。
【００２７】
以上、本発明について、好ましい実施形態を挙げて説明したが、本発明のガス検知素子、及び、接触燃焼式ガスセンサは、上記実施形態の構成に限定されるものではない。
【００２８】
当業者は、従来公知の知見に従い、本発明のガス検知素子、及び、接触燃焼式ガスセンサを適宜改変することができる。このような改変によってもなお本発明のガス検知素子、及び、接触燃焼式ガスセンサを具備する限り、もちろん、本発明の範疇に含まれるものである。
【符号の説明】
【００２９】
１    発熱体
１ａ  コイル部
２    パラジウムが担持されたγ−アルミナ担体
３    空洞部
４    基板
【図１】
2014194353.tif 000002
【図２】
2014194353.tif 000003
【図３】
2014194353.tif 000004
【図４】
2014194353.tif 000005
【図５】
2014194353.tif 000006
【図６】
2014194353.tif 000007